(57)【要約】【課題】移動局ＵＥのハンドオーバ処理が行われている状態であっても、移動局ＵＥに対して、移動局ＵＥに係る「ＬＰＰ  ＰＤＵ」を再送することができる。【解決手段】本発明に係る位置情報サービス提供方法は、無線基地局ｅＮＢ＃１が、移動局ＵＥに係る「ＬＰＰ  ＰＤＵ」を移動局ＵＥに対して送信することなく破棄した場合、交換局ＭＭＥ＃１に対して、移動局ＵＥに係る「ＬＰＰ  ＰＤＵ」を含む指示信号を送信する工程と、交換局ＭＭＥ＃１が、指示信号を受信した場合で、かつ、移動局ＵＥの交換局ＭＭＥ＃１配下のセルから交換局ＭＭＥ＃２配下のセルへのハンドオーバ処理が行われている状態であることを検出した場合に、交換局ＭＭＥ＃２に対して移動局ＵＥに係る「ＬＰＰ  ＰＤＵ」を送信する工程と、交換局ＭＭＥ＃２が、無線基地局ｅＮＢ＃２に対して、交換局ＭＭＥ＃１から受信した移動局ＵＥに係る「ＬＰＰ  ＰＤＵ」を送信する工程とを有する。【選択図】図７
2011077896.tif 000002
【特許請求の範囲】
【請求項１】
サーバ装置と移動局との間で終端する位置情報サービス提供用プロトコルを用いて、該移動局に対して、該移動局に係る位置情報関連パケットを提供する位置情報サービス提供方法であって、
前記サーバ装置が、第１交換局に対して、前記移動局に係る位置情報関連パケットを送信する工程と、
前記第１交換局が、該第１交換局配下のセルを収容する第１無線基地局に対して、前記移動局に係る位置情報関連パケットを送信する工程と、
前記第１無線基地局が、前記第１交換局から受信した前記移動局に係る位置情報関連パケットを該移動局に対して送信する前に、該移動局に係る位置情報関連パケットを該移動局に対して送信することなく破棄した場合、該第１交換局に対して、該移動局に係る位置情報関連パケットを含む指示信号を送信する工程と、
前記第１交換局が、前記指示信号を受信した場合で、かつ、前記移動局の該第１交換局配下のセルから第２交換局配下のセルへのハンドオーバ処理が行われている状態であることを検出した場合に、該第２交換局に対して、該移動局に係る位置情報関連パケットを送信する工程と、
前記第２交換局が、前記第２交換局配下のセルを収容する第２無線基地局に対して、前記第１交換局から受信した前記移動局に係る位置情報関連パケットを送信する工程と、
前記第２無線基地局が、前記移動局に対して、前記第２交換局から受信した前記移動局に係る位置情報関連パケットを送信する工程とを有することを特徴とする位置情報サービス提供方法。
【請求項２】
サーバ装置と移動局との間で終端する位置情報サービス提供用プロトコルを用いて、該移動局に対して、該移動局に係る位置情報関連パケットを提供する位置情報サービス提供方法であって、
前記サーバ装置が、第１交換局に対して、前記移動局に係る位置情報関連パケットを送信する工程Ａと、
前記第１交換局が、該第１交換局配下のセルを収容する第１無線基地局に対して、前記移動局に係る位置情報関連パケットを送信する工程Ｂと、
前記第１無線基地局が、前記第１交換局から受信した前記移動局に係る位置情報関連パケットを該移動局に対して送信する前に、該移動局に係る位置情報関連パケットを該移動局に対して送信することなく破棄した場合、該第１交換局に対して、該移動局に係る位置情報関連パケットを含む第１指示信号を送信する工程Ｃと、
前記第１交換局が、前記第１指示信号を受信した場合、前記サーバ装置に対して、該移動局に係る位置情報関連パケットの識別情報を含む第２指示信号を送信する工程Ｄと、
前記サーバ装置が、受信した前記第２指示信号に含まれる前記移動局に係る位置情報関連パケットの識別情報及び該移動局の前記第１交換局配下のセルから第２交換局配下のセルへのハンドオーバ処理が完了したことを通知するハンドオーバ完了通知情報に基づいて、該移動局に係る位置情報関連パケットをそのまま又は再度生成して、第２交換局に送信する工程Ｅと、
前記第２交換局が、前記第２交換局配下のセルを収容する第２無線基地局に対して、前記サーバ装置から受信した前記移動局に係る位置情報関連パケットを送信する工程Ｆと、
前記第２無線基地局が、前記移動局に対して、前記第２交換局から受信した該移動局に係る位置情報関連パケットを送信する工程Ｇとを有することを特徴とする位置情報サービス提供方法。
【請求項３】
前記工程Ｄにおいて、前記第１交換局が、前記サーバ装置に対して、前記移動局に係る位置情報関連パケットの識別情報に加えて、該移動局のサービングセルが変更になるハンドオーバ処理が行われていることを示す識別子を含む前記第２指示信号を送信し、
前記工程Ｅにおいて、前記サーバ装置は、受信した前記第２指示信号に、前記識別子が含まれている場合に、該移動局に係る位置情報関連パケットを再度生成して、前記第２交換局に送信することを特徴とする請求項２に記載の位置情報サービス提供方法。
【請求項４】
前記移動局が、前記サーバ装置に対して、前記ハンドオーバ完了通知情報を送信する工程を更に有することを特徴とする請求項２に記載の位置情報サービス提供方法。
【請求項５】
前記第２無線基地局が、前記サーバ装置に対して、前記ハンドオーバ完了通知情報を送信する工程を更に有することを特徴とする請求項２に記載の位置情報サービス提供方法。
【請求項６】
サーバ装置と移動局との間で終端する位置情報サービス提供用プロトコルを用いて、該移動局に対して、該移動局に係る位置情報関連パケットを提供するように構成されている移動通信システムで用いられる交換局であって、
無線基地局に対して、前記サーバ装置から受信した前記移動局に係る位置情報関連パケットを送信するように構成されている第１送信部と、
前記無線基地局から、指示信号を受信した場合で、かつ、前記移動局の前記交換局配下のセルから他の交換局配下のセルへのハンドオーバ処理が行われている状態であることを検出した場合に、該他の交換局に対して、該指示信号に含まれている該移動局に係る位置情報関連パケットを送信するように構成されている第２送信部とを具備することを特徴とする交換局。
【請求項７】
サーバ装置と移動局との間で終端する位置情報サービス提供用プロトコルを用いて、該移動局に対して、該移動局に係る位置情報関連パケットを提供するように構成されている移動通信システムで用いられる交換局であって、
無線基地局に対して、前記サーバ装置から受信した前記移動局に係る位置情報関連パケットを送信するように構成されている第１送信部と、
前記無線基地局から、第１指示信号を受信した場合、前記サーバ装置に対して、該第１指示信号に含まれている該移動局に係る位置情報関連パケットの識別情報を含む第２指示信号を送信するように構成されている第２送信部とを具備することを特徴とする交換局。
【請求項８】
前記第２送信部は、前記サーバ装置に対して、前記移動局に係る位置情報関連パケットの識別情報に加えて、該移動局のハンドオーバ処理が行われていることを示す識別子を含む前記第２指示信号を送信するように構成されていることを特徴とする請求項７に記載の交換局。
【請求項９】
サーバ装置と移動局との間で終端する位置情報サービス提供用プロトコルを用いて、該移動局に対して、該移動局に係る位置情報関連パケットを提供するように構成されている移動通信システムで用いられる該サーバ装置であって、
第１交換局に対して、前記移動局に係る位置情報関連パケットを送信するように構成されている第１送信部と、
前記移動局の前記第１交換局配下のセルから第２交換局配下のセルへのハンドオーバ処理が完了したことを通知するハンドオーバ完了通知情報及び指示信号を受信するように構成されている受信部と、
前記第１交換局から受信した指示信号に含まれている前記移動局に係る位置情報関連パケットの識別情報及び前記ハンドオーバ完了通知情報に基づいて、該移動局に係る位置情報関連パケットをそのまま又は再度生成して第２交換局に送信するように構成されている第２送信部とを具備することを特徴とするサーバ装置。
【請求項１０】
前記第２送信部は、前記第１交換局から受信した前記指示信号に、前記移動局のサービングセルが変更になるハンドオーバ処理が行われていることを示す識別子が含まれている場合に、該移動局に係る位置情報関連パケットを再度生成して第２交換局に送信するように構成されていることを特徴とする請求項９に記載のサーバ装置。
【発明の詳細な説明】
【技術分野】
【０００１】
本発明は、位置情報サービス提供方法、交換局及びサーバ装置に関する。
【背景技術】
【０００２】
３ＧＰＰで規定されている移動通信システムは、ＬＰＰ（ＬＴＥ  Ｐｏｓｉｔｉｏｎｉｎｇ  Ｐｒｏｔｏｃｏｌ）/ＬＰＰａ（ＬＴＥ  Ｐｏｓｉｔｉｏｎｉｎｇ  Ｐｒｏｔｏｃｏｌ  ａｎｎｅｘ）を用いて、移動局ＵＥに対して、移動局ＵＥに係る「ＬＰＰ  ＰＤＵ」を提供することができるように構成されている。図１０を参照して、かかる移動通信システムの動作について簡単に説明する。
【０００３】
図１０に示すように、ステップ１において、サーバ装置Ｅ-ＳＭＬＣ（Ｅｎｈａｎｃｅｄ-Ｓｅｒｖｉｎｇ  Ｍｏｂｉｌｅ  Ｌｏｃａｔｉｏｎ  Ｃｅｎｔｒｅ）は、交換局ＭＭＥ（Ｍｏｂｉｌｉｔｙ  Ｍａｎａｇｅｍｅｎｔ  Ｅｎｔｉｔｙ）に対して、移動局ＵＥに係る「ＬＰＰ  ＰＤＵ」を含む「ＬＣＳ-ＡＰ（ＬｏＣａｔｉｏｎ  Ｓｅｒｖｉｃｅｓ-Ａｐｐｌｉｃａｔｉｏｎ  Ｐｒｏｔｏｃｏｌ）  ＰＤＵ（Ｐａｃｋｅｔ  Ｄａｔａ  Ｕｎｉｔ）」を送信する。
【０００４】
ステップ２において、移動局ＵＥが、「ＥＣＭ（ＥＰＳ  Ｃｏｎｎｅｃｔｉｏｎ  Ｍａｎａｇｅｍｅｎｔ）-Ｉｄｌｅ状態」である場合、交換局ＭＭＥは、移動局ＵＥに対して、「ＮＷ  Ｔｒｉｇｇｅｒｅｄ  Ｓｅｒｖｉｃｅ  Ｒｅｑｕｅｓｔ」を送信し、移動局ＵＥと無線基地局ｅＮＢとの間で、シグナリングコネクションを設定する。
【０００５】
ステップ３において、交換局ＭＭＥは、無線基地局ｅＮＢに対して、「（Ｓ１-ＡＰ）ＤＬ  ＮＡＳ（Ｎｏｎ  Ａｃｃｅｓｓ  Ｓｔｒａｔｕｍ）  Ｔｒａｎｓｐｏｒｔ」によって、移動局ＵＥに係る「ＬＰＰ  ＰＤＵ」を送信する。
【０００６】
ステップ４において、無線基地局ｅＮＢは、移動局ＵＥに対して、「（ＲＲＣ）ＤＬ  Ｉｎｆｏ  Ｔｒａｎｓｆｅｒ」によって、移動局ＵＥに係る「ＬＰＰ  ＰＤＵ」を送信する。
【０００７】
例えば、ＧＮＳＳ （Ｇｌｏｂａｌ  Ｎａｖｉｇａｔｉｏｎ  Ｓａｔｅｌｌｉｔｅ  Ｓｙｓｔｅｍ）測位方式では、サーバ装置Ｅ-ＳＭＬＣが、移動局ＵＥに対して、「ＬＰＰ  ＰＤＵ」として、「Ｉｏｎｏｓｐｈｅｒｉｃ  Ｍｏｄｅｌ」や「Ｒｅｆｅｒｅｎｃｅ  ｔｉｍｅ」等を送信することができる（非特許文献２の８.１.２.１参照）。
【０００８】
「Ｉｏｎｏｓｐｈｅｒｉｃ  Ｍｏｄｅｌ」は、ＧＮＳＳ信号の伝搬遅延をモデル化するパラメータのため、移動局ＵＥが通信しているセルに依存しない。
【０００９】
一方、「Ｒｅｆｅｒｅｎｃｅ  ｔｉｍｅ」は、「ＧＮＳＳ  ｔｉｍｅ」と「Ｅ-ＵＴＲＡＮ  ａｉｒ-ｉｎｔｅｒｆａｃｅ  ｔｉｍｉｎｇ」との関係を通知するものであるため、移動局ＵＥが通信しているセルに依存している。
【先行技術文献】
【非特許文献】
【００１０】
【非特許文献１】３ＧＰＰ  ＴＳ２３.２７１  ｖ９.０.０
【非特許文献２】３ＧＰＰ  ＴＳ３６.３０５  ｖ１.０.０
【非特許文献３】３ＧＰＰ  ＴＳ２４.４０１  ｖ８.６.０
【発明の概要】
【発明が解決しようとする課題】
【００１１】
しかしながら、上述のステップ４において、無線基地局ｅＮＢは、移動局ＵＥがハンドオーバ処理を行っている状態では、交換局ＭＭＥから受信した移動局ＵＥに係る「ＬＰＰ  ＰＤＵ」を移動局ＵＥに送信することなく破棄する可能性がある。
【００１２】
無線基地局ｅＮＢは、交換局ＭＭＥから受信した移動局ＵＥに係る「ＬＰＰ  ＰＤＵ」を破棄した場合、移動局ＵＥに係る「ＬＰＰ  ＰＤＵ」を含む「（Ｓ１-ＡＰ）Ｄｏｗｎｌｉｎｋ  ＮＡＳ  Ｎｏｎ  Ｄｅｌｉｖｅｒｙ  Ｉｎｄｉｃａｔｉｏｎ」を交換局ＭＭＥに送信する。
【００１３】
ここで、移動局ＵＥに係る「ＬＰＰ  ＰＤＵ」を含む「（Ｓ１-ＡＰ）Ｄｏｗｎｌｉｎｋ  ＮＡＳ  Ｎｏｎ  Ｄｅｌｉｖｅｒｙ  Ｉｎｄｉｃａｔｉｏｎ」を受信した交換局ＭＭＥは、「ＬＰＰ」を終端していないため、「ＬＰＰ  ＰＤＵ」の再送の要否について判断することができず、交換局ＭＭＥにおいて、「ＬＰＰ  ＰＤＵ」の再送が行われず、測位時間や測位精度に影響を与えるという問題があった。
【００１４】
また、「ＬＰＰ  ＰＤＵ」として「Ｒｅｆｅｒｅｎｃｅ  ｔｉｍｅ」が送信されている場合は、「ＬＰＰ  ＰＤＵ」を再送可能とするだけでは、移動局ＵＥが、ハンドオーバ元の「Ｒｅｆｅｒｅｎｃｅ  ｔｉｍｅ」に基づいて測位することになり、測位精度が劣化するという問題があった。
【００１５】
そこで、本発明は、上述の課題に鑑みてなされたものであり、移動局ＵＥのハンドオーバ処理が行われているために、位置情報関連パケットが破棄されても、移動局ＵＥに対して、移動局ＵＥに係る「ＬＰＰ  ＰＤＵ」を再送することができる位置情報サービス提供方法、交換局及びサーバ装置を提供することを目的とする。
【課題を解決するための手段】
【００１６】
本発明の第１の特徴は、サーバ装置と移動局との間で終端する位置情報サービス提供用プロトコルを用いて、該移動局に対して、該移動局に係る位置情報関連パケットを提供する位置情報サービス提供方法であって、前記サーバ装置が、第１交換局に対して、前記移動局に係る位置情報関連パケットを送信する工程と、前記第１交換局が、該第１交換局配下のセルを収容する第１無線基地局に対して、前記移動局に係る位置情報関連パケットを送信する工程と、前記第１無線基地局が、前記第１交換局から受信した前記移動局に係る位置情報関連パケットを該移動局に対して送信する前に、該移動局に係る位置情報関連パケットを該移動局に対して送信することなく破棄した場合、該第１交換局に対して、該移動局に係る位置情報関連パケットを含む指示信号を送信する工程と、前記第１交換局が、前記指示信号を受信した場合で、かつ、前記移動局の該第１交換局配下のセルから第２交換局配下のセルへのハンドオーバ処理が行われている状態であることを検出した場合に、該第２交換局に対して、該移動局に係る位置情報関連パケットを送信する工程と、前記第２交換局が、前記第２交換局配下のセルを収容する第２無線基地局に対して、前記第１交換局から受信した前記移動局に係る位置情報関連パケットを送信する工程と、前記第２無線基地局が、前記移動局に対して、前記第２交換局から受信した前記移動局に係る位置情報関連パケットを送信する工程とを有することを要旨とする。
【００１７】
本発明の第２の特徴は、サーバ装置と移動局との間で終端する位置情報サービス提供用プロトコルを用いて、該移動局に対して、該移動局に係る位置情報関連パケットを提供する位置情報サービス提供方法であって、前記サーバ装置が、第１交換局に対して、前記移動局に係る位置情報関連パケットを送信する工程Ａと、前記第１交換局が、該第１交換局配下のセルを収容する第１無線基地局に対して、前記移動局に係る位置情報関連パケットを送信する工程Ｂと、前記第１無線基地局が、前記第１交換局から受信した前記移動局に係る位置情報関連パケットを該移動局に対して送信する前に、該移動局に係る位置情報関連パケットを該移動局に対して送信することなく破棄した場合、該第１交換局に対して、該移動局に係る位置情報関連パケットを含む第１指示信号を送信する工程Ｃと、前記第１交換局が、前記第１指示信号を受信した場合、前記サーバ装置に対して、該移動局に係る位置情報関連パケットの識別情報を含む第２指示信号を送信する工程Ｄと、前記サーバ装置が、受信した前記第２指示信号に含まれる前記移動局に係る位置情報関連パケットの識別情報及び該移動局の前記第１交換局配下のセルから第２交換局配下のセルへのハンドオーバ処理が完了したことを通知するハンドオーバ完了通知情報に基づいて、該移動局に係る位置情報関連パケットをそのまま又は再度生成して前記第２交換局に送信する工程Ｅと、前記第２交換局が、該第２交換局配下のセルを収容する第２無線基地局に対して、前記サーバ装置から受信した前記移動局に係る位置情報関連パケットを送信する工程Ｆと、前記第２無線基地局が、前記移動局に対して、前記第２交換局から受信した該移動局に係る位置情報関連パケットを送信する工程Ｇとを有することを要旨とする。
【００１８】
本発明の第３の特徴は、サーバ装置と移動局との間で終端する位置情報サービス提供用プロトコルを用いて、該移動局に対して、該移動局に係る位置情報関連パケットを提供するように構成されている移動通信システムで用いられる交換局であって、無線基地局に対して、前記サーバ装置から受信した前記移動局に係る位置情報関連パケットを送信するように構成されている第１送信部と、前記無線基地局から、指示信号を受信した場合で、かつ、前記移動局の前記交換局配下のセルから他の交換局配下のセルへのハンドオーバ処理が行われている状態であることを検出した場合に、該他の交換局に対して、該指示信号に含まれている該移動局に係る位置情報関連パケットを送信するように構成されている第２送信部とを具備することを要旨とする。
【００１９】
本発明の第４の特徴は、サーバ装置と移動局との間で終端する位置情報サービス提供用プロトコルを用いて、該移動局に対して、該移動局に係る位置情報関連パケットを提供するように構成されている移動通信システムで用いられる交換局であって、無線基地局に対して、前記サーバ装置から受信した前記移動局に係る位置情報関連パケットを送信するように構成されている第１送信部と、前記無線基地局から、第１指示信号を受信した場合、前記サーバ装置に対して、該第１指示信号に含まれている該移動局に係る位置情報関連パケットの識別情報を含む第２指示信号を送信するように構成されている第２送信部とを具備することを要旨とする。
【００２０】
本発明の第５の特徴は、サーバ装置と移動局との間で終端する位置情報サービス提供用プロトコルを用いて、該移動局に対して、該移動局に係る位置情報関連パケットを提供するように構成されている移動通信システムで用いられる該サーバ装置であって、第１交換局に対して、前記移動局に係る位置情報関連パケットを送信するように構成されている第１送信部と、前記移動局の前記第１交換局配下のセルから第２交換局配下のセルへのハンドオーバ処理が完了したことを通知するハンドオーバ完了通知情報及び指示信号を受信するように構成されている受信部と、前記第１交換局から受信した指示信号に含まれている前記移動局に係る位置情報関連パケットの識別情報及び前記ハンドオーバ完了通知情報に基づいて、該移動局に係る位置情報関連パケットをそのまま又は再度生成して第２交換局に送信するように構成されている第２送信部とを具備することを要旨とする。
【発明の効果】
【００２１】
以上説明したように、本発明によれば、移動局ＵＥのハンドオーバ処理が行われているために、位置情報関連パケットが破棄されても、移動局ＵＥに対して、移動局ＵＥに係る「ＬＰＰ  ＰＤＵ」を再送することができる位置情報サービス提供方法、交換局及びサーバ装置を提供することができる。
【図面の簡単な説明】
【００２２】
【図１】本発明の第１の実施形態に係る移動通信システムの全体構成図である。
【図２】本発明の第１の実施形態に係る移動通信システムにおけるプロトコルスタック図である。
【図３】本発明の第１の実施形態に係る交換局ＭＭＥの機能ブロック図である。
【図４】本発明の第１の実施形態に係る移動通信システムで用いられる「Ｓｅｃｕｒｉｔｙ  ｐｒｏｔｅｃｔｅｄ  ＮＡＳ  ｍｅｓｓａｇｅ」のフォーマットの一例を示す図である。
【図５】本発明の第１の実施形態に係る移動通信システムで用いられる「Ｐｌａｉｎ  ＮＡＳ  ｍｅｓｓａｇｅ」のフォーマットの一例を示す図である。
【図６】本発明の第１の実施形態に係る移動通信システムで用いられる「Ｐｌａｉｎ  ＮＡＳ  ｍｅｓｓａｇｅ」及び「Ｐｌａｉｎ  ＮＡＳ  ｍｅｓｓａｇｅ」に含まれる「Ｐｒｏｔｏｃｏｌ  ｄｉｓｃｒｉｍｉｎａｔｏｒ」の一例を示す図である。
【図７】本発明の第１の実施形態に係る移動通信システムの動作を示すシーケンス図である。
【図８】本発明の第２の実施形態に係るサーバ装置Ｅ-ＳＭＬＣの機能ブロック図である。
【図９】本発明の第２の実施形態に係る移動通信システムの動作を示すシーケンス図である。
【図１０】従来の移動通信システムの動作を示すシーケンス図である。
【発明を実施するための形態】
【００２３】
（本発明の第１の実施形態に係る移動通信システムの構成）
図１乃至図６を参照して、本発明の第１の実施形態に係る移動通信システムの構成について説明する。
【００２４】
本実施形態に係る移動通信システムは、移動局ＵＥに対して、ＬＣＳ（位置情報サービス）を提供することができるように構成されている。具体的には、本実施形態に係る移動通信システムは、ＬＰＰ/ＬＰＰａを用いて、移動局ＵＥに対して、移動局ＵＥに係る「ＬＰＰ  ＰＤＵ」を提供することができるように構成されている。
【００２５】
図１に示すように、本実施形態に係る移動通信システムは、無線基地局ｅＮＢと、交換局ＭＭＥと、サーバ装置Ｅ-ＳＭＬＣと、ゲートウェイ装置Ｓ-ＧＷ（Ｓｅｒｖｉｎｇ  Ｇａｔｅｗａｙ）と、ゲートウェイ装置Ｐ-ＧＷ（ＰＤＮ  Ｇａｔｅｗａｙ）と、サーバ装置ＧＭＬＣ（Ｇａｔｅｗａｙ  Ｍｏｂｉｌｅ  Ｌｏｃａｔｉｏｎ  Ｃｅｎｔｒｅ）と、サーバ装置ＬＲＦ（Ｌｏｃａｔｉｏｎ  Ｒｅｔｒｉｅｖａｌ  Ｆｕｎｃｔｉｏｎ）と、ＩＭＳ（ＩＰ  Ｍｕｌｔｉｍｅｄｉａ  Ｓｕｂｓｙｓｔｅｍ）と、ＰＳＡＰ（Ｐｕｂｌｉｃ  Ｓａｆｔｙ  Ａｎｓｗｅｒ  Ｐｏｉｎｔ）とを具備している。
【００２６】
移動局ＵＥと無線基地局ｅＮＢとの間のインターフェイスは、ＬＴＥ-Ｕｕインターフェイスであり、移動局ＵＥと無線基地局ｅＮＢとの間では、シグナリンク用コネクション及びデータ信号/音声信号用コネクションが設定されるように構成されている。
【００２７】
無線基地局ｅＮＢとゲートウェイ装置Ｓ-ＧＷとの間のインターフェイスは、Ｓ１-Ｕインターフェイスであり、無線基地局ｅＮＢとゲートウェイ装置Ｓ-ＧＷとの間では、シグナリンク用コネクション及びデータ信号/音声信号用コネクションが設定されるように構成されている。
【００２８】
ゲートウェイ装置Ｓ-ＧＷとゲートウェイ装置Ｐ-ＧＷとの間のインターフェイスは、Ｓ５インターフェイスであり、ゲートウェイ装置Ｓ-ＧＷとゲートウェイ装置Ｐ-ＧＷとの間では、シグナリンク用コネクション及びデータ信号/音声信号用コネクションが設定されるように構成されている。
【００２９】
ゲートウェイ装置Ｐ-ＧＷとＩＭＳとの間のインターフェイスは、ＳＧｉインターフェイスであり、ゲートウェイ装置Ｐ-ＧＷとＩＭＳとの間では、シグナリンク用コネクション及びデータ信号/音声信号用コネクションが設定されるように構成されている。
【００３０】
無線基地局ｅＮＢと交換局ＭＭＥとの間のインターフェイスは、Ｓ１-ＭＭＥインターフェイスであり、無線基地局ｅＮＢと交換局ＭＭＥとの間では、シグナリンク用コネクションが設定されるように構成されている。
【００３１】
交換局ＭＭＥとサーバ装置Ｅ-ＳＭＬＣとの間のインターフェイスは、ＳＬｓインターフェイスであり、交換局ＭＭＥとサーバ装置Ｅ-ＳＭＬＣとの間では、シグナリンク用コネクションが設定されるように構成されている。
【００３２】
交換局ＭＭＥとサーバ装置ＧＭＬＣとの間のインターフェイスは、ＳＬｇインターフェイスであり、交換局ＭＭＥとサーバ装置ＧＭＬＣとの間では、シグナリンク用コネクションが設定されるように構成されている。
【００３３】
サーバ装置ＬＲＦとＩＭＳとの間のインターフェイスは、Ｍ１インターフェイスであり、サーバ装置ＬＲＦとＩＭＳとの間では、シグナリンク用コネクションが設定されるように構成されている。
【００３４】
サーバ装置ＬＲＦとＰＳＡＰとの間のインターフェイスは、Ｌｅ（例えば、Ｅ２）インターフェイスであり、サーバ装置ＬＲＦとＰＳＡＰとの間では、１つ又は複数の中間ノードを介して、シグナリンク用コネクションが設定されるように構成されている。
【００３５】
本実施形態に係る移動通信システムでは、移動局ＵＥの測位を行う機能は、無線基地局ｅＮＢではなく、サーバ装置Ｅ-ＳＭＬＣに設けられるように構成されている。
【００３６】
次に、図２（ａ）を参照して、移動局ＵＥとサーバ装置Ｅ-ＳＭＬＣとの間で終端するシグナリングプロトコルであるＬＰＰにおけるプロトコルスタックについて説明し、図２（ｂ）を参照して、無線基地局ｅＮＢとサーバ装置Ｅ-ＳＭＬＣとの間で終端するシグナリングプロトコルであるＬＰＰａにおけるプロトコルスタックについて説明する。
【００３７】
図２（ａ）に示すように、移動局ＵＥは、ＬＰＰに対応するための機能として、ＬＴＥ-Ｕｕインターフェイス側に、Ｌ１（物理）レイヤ機能と、ＭＡＣ（Ｍｅｄｉａ  Ａｃｃｅｓｓ  Ｃｏｎｔｒｏｌ）レイヤ機能と、ＲＬＣ（Ｒａｄｉｏ  Ｌｉｎｋ  Ｃｏｎｔｒｏｌ）レイヤ機能と、ＰＤＣＰ（Ｐａｃｋｅｔ  Ｄａｔａ  Ｃｏｎｖｅｒｇｅｎｃｅ  Ｐｒｏｔｏｃｏｌ）レイヤ機能と、ＲＲＣ（Ｒａｄｉｏ  Ｒｅｓｏｕｒｃｅ  Ｃｏｎｔｒｏｌ）レイヤ機能と、ＬＰＰレイヤ機能とを具備している。
【００３８】
無線基地局ｅＮＢは、ＬＰＰに対応するための機能として、ＬＴＥ-Ｕｕインターフェイス側に、Ｌ１レイヤ機能と、ＭＡＣレイヤ機能と、ＲＬＣレイヤ機能と、ＰＤＣＰレイヤ機能と、ＲＲＣレイヤ機能とを具備している。
【００３９】
一方、無線基地局ｅＮＢは、ＬＰＰに対応するための機能として、Ｓ１-ＭＭＥインターフェイス側に、Ｌ１レイヤ機能と、Ｌ２レイヤ機能と、ＩＰ（Ｉｎｔｅｒｎｅｔ  Ｐｒｏｔｏｃｏｌ）レイヤ機能と、ＳＣＴＰ（Ｓｔｒｅａｍ  Ｃｏｎｔｒｏｌ  Ｔｒａｎｓｍｉｓｓｉｏｎ  Ｐｒｏｔｏｃｏｌ）レイヤ機能と、Ｓ１-ＡＰレイヤ機能とを具備している。
【００４０】
交換局ＭＭＥは、ＬＰＰに対応するための機能として、Ｓ１-ＭＭＥインターフェイス側に、Ｌ１レイヤ機能と、Ｌ２レイヤ機能と、ＩＰレイヤ機能と、ＳＣＴＰレイヤ機能と、Ｓ１-ＡＰレイヤ機能とを具備している。
【００４１】
一方、交換局ＭＭＥは、ＬＰＰに対応するための機能として、ＳＬｓインターフェイス側に、Ｌ１レイヤ機能と、Ｌ２レイヤ機能と、ＩＰレイヤ機能と、ＳＣＴＰレイヤ機能と、ＬＣＳ-ＡＰレイヤ機能とを具備している。
【００４２】
サーバ装置Ｅ-ＳＭＬＣは、ＬＰＰに対応するための機能として、ＳＬｓインターフェイス側に、Ｌ１レイヤ機能と、Ｌ２レイヤ機能と、ＩＰレイヤ機能と、ＳＣＴＰレイヤ機能と、ＬＣＳ-ＡＰレイヤ機能と、ＬＰＰレイヤ機能とを具備している。
【００４３】
図２（ｂ）に示すように、無線基地局ｅＮＢは、ＬＰＰａに対応するための機能として、Ｓ１-ＭＭＥインターフェイス側に、Ｌ１レイヤ機能と、Ｌ２レイヤ機能と、ＩＰレイヤ機能と、ＳＣＴＰレイヤ機能と、Ｓ１-ＡＰレイヤ機能と、ＬＰＰａレイヤ機能とを具備している。
【００４４】
交換局ＭＭＥは、ＬＰＰａに対応するための機能として、Ｓ１-ＭＭＥインターフェイス側に、Ｌ１レイヤ機能と、Ｌ２レイヤ機能と、ＩＰレイヤ機能と、ＳＣＴＰレイヤ機能と、Ｓ１-ＡＰレイヤ機能とを具備している。
【００４５】
一方、交換局ＭＭＥは、ＬＰＰａに対応するための機能として、ＳＬｓインターフェイス側に、Ｌ１レイヤ機能と、Ｌ２レイヤ機能と、ＩＰレイヤ機能と、ＳＣＴＰレイヤ機能と、ＬＣＳ-ＡＰレイヤ機能とを具備している。
【００４６】
サーバ装置Ｅ-ＳＭＬＣは、ＬＰＰａに対応するための機能として、ＳＬｓインターフェイス側に、Ｌ１レイヤ機能と、Ｌ２レイヤ機能と、ＩＰレイヤ機能と、ＳＣＴＰレイヤ機能と、ＬＣＳ-ＡＰレイヤ機能と、ＬＰＰａレイヤ機能とを具備している。
【００４７】
図３に示すように、交換局ＭＭＥは、ハンドオーバ処理部１１と、受信部１２と、判定部１３と、送信部１４とを具備している。
【００４８】
ハンドオーバ処理部１１は、交換局ＭＭＥ配下のセル内で通信を行っている移動局ＵＥ、交換局ＭＭＥ配下のセルに進入してくる通信中の移動局ＵＥ及び交換局ＭＭＥ配下のセルから進出していく通信中の移動局ＵＥに係るハンドオーバ処理を行うように構成されている。
【００４９】
受信部１２は、無線基地局ｅＮＢやサーバ装置Ｅ-ＳＭＬＣによって送信された信号を受信するように構成されている。
【００５０】
例えば、受信部１２は、無線基地局ｅＮＢから「Ｓｅｃｕｒｉｔｙ  ｐｒｏｔｅｃｔｅｄ  ＮＡＳ  Ｍｅｓｓａｇｅ」を受信したり、サーバ装置Ｅ-ＳＭＬＣから「ＬＣＳ-ＡＰ  ＰＤＵ」を受信したりするように構成されている。
【００５１】
図４に示すように、かかる「Ｓｅｃｕｒｉｔｙ  ｐｒｏｔｅｃｔｅｄ  ＮＡＳ  Ｍｅｓｓａｇｅ」は、３ＧＰＰ  ＴＳ２４.３０１の９章に規定されているフォーマットを有していてもよい。
【００５２】
また、図４に示す「Ｓｅｃｕｒｉｔｙ  ｐｒｏｔｅｃｔｅｄ  ＮＡＳ  Ｍｅｓｓａｇｅ」内の「ＮＡＳ  Ｍｅｓｓａｇｅ」部分に、図５に示す「Ｐｌａｉｎ  ＮＡＳ  Ｍｅｓｓａｇｅ」が含まれるように構成されていてもよい。図５に示すように、かかる「Ｐｌａｉｎ  ＮＡＳ  Ｍｅｓｓａｇｅ」は、３ＧＰＰ  ＴＳ２４.３０１の９章に規定されているフォーマットを有していてもよい。
【００５３】
また、図４に示す「Ｓｅｃｕｒｉｔｙ  ｐｒｏｔｅｃｔｅｄ  ＮＡＳ  Ｍｅｓｓａｇｅ」或いは図５に示す「Ｐｌａｉｎ  ＮＡＳ  Ｍｅｓｓａｇｅ」内の「Ｐｒｏｔｏｃｏｌ  ｄｉｓｃｒｉｍｉｎａｔｏｒ」部分には、図６に示すいずれかの値が設定されるように構成されていてもよい。図６に示すように、かかる「Ｐｒｏｔｏｃｏｌ  ｄｉｓｃｒｉｍｉｎａｔｏｒ」部分に設定可能な値は、３ＧＰＰ  ＴＳ２４.００７のテーブル１１.２に規定されている値であってもよい。
【００５４】
判定部１３は、無線基地局ｅＮＢから移動局ＵＥの「ＬＰＰ  ＰＤＵ」を含む「（Ｓ１-ＡＰ）Ｄｏｗｎｌｉｎｋ  ＮＡＳ  Ｎｏｎ  Ｄｅｌｉｖｅｒｙ  Ｉｎｄｉｃａｔｉｏｎ」を受信した場合に、他の交換局ＭＭＥに対して、移動局ＵＥに係る「ＬＰＰ  ＰＤＵ」を送信するべきであるか否かについて判定するように構成されている。
【００５５】
例えば、判定部１３は、無線基地局ｅＮＢから移動局ＵＥの「ＬＰＰ  ＰＤＵ」を含む「（Ｓ１-ＡＰ）Ｄｏｗｎｌｉｎｋ  ＮＡＳ  Ｎｏｎ  Ｄｅｌｉｖｅｒｙ  Ｉｎｄｉｃａｔｉｏｎ」を受信した場合で、かつ、移動局ＵＥの当該交換局ＭＭＥ配下のセルから他の交換局ＭＭＥ配下のセルへのハンドオーバ処理が行われている状態であることを検出した場合に、ハンドオーバ先のセル（他の交換局ＭＭＥ配下のセル）を収容する無線基地局ｅＮＢに対して、移動局ＵＥに係る「ＬＰＰ  ＰＤＵ」を送信するべきであると判定するように構成されている。
【００５６】
ここで、判定部１３は、受信部１２によって受信された「Ｓｅｃｕｒｉｔｙ  ｐｒｏｔｅｃｔｅｄ  ＮＡＳ  Ｍｅｓｓａｇｅ」内の「Ｐｒｏｔｏｃｏｌ  ｄｉｓｃｒｉｍｉｎａｔｏｒ」部分又は「Ｓｅｑｕｅｎｃｅ  Ｎｕｍｂｅｒ」や、「Ｐｌａｉｎ  ＮＡＳ  Ｍｅｓｓａｇｅ」内の「Ｍｅｓｓａｇｅ  ｔｙｐｅ」部分、「Ｐｒｏｃｅｄｕｒｅ  ｔｒａｎｓａｃｔｉｏｎ  ｉｄｅｎｔｉｔｙ」又は「Ｐｒｏｔｏｃｏｌ  ｄｉｓｃｒｉｍｉｎａｔｏｒ」部分等を参照して、無線基地局ｅＮＢから移動局ＵＥの「ＬＰＰ  ＰＤＵ」を含む「（Ｓ１-ＡＰ）Ｄｏｗｎｌｉｎｋ  ＮＡＳ  Ｎｏｎ  Ｄｅｌｉｖｅｒｙ  Ｉｎｄｉｃａｔｉｏｎ」を受信したことを検出するように構成されていてもよい。
【００５７】
また、判定部１３は、ハンドオーバ処理部１１からの情報に応じて、移動局ＵＥの当該交換局ＭＭＥ配下のセルから他の交換局ＭＭＥ配下のセルへのハンドオーバ処理が行われている状態であることを検出するように構成されていてもよい。
【００５８】
ここで、判定部１３は、受信した「（Ｓ１-ＡＰ）Ｄｏｗｎｌｉｎｋ  ＮＡＳ  Ｎｏｎ  Ｄｅｌｉｖｅｒｙ  Ｉｎｄｉｃａｔｉｏｎ」内に含まれる「Ｃａｕｓｅ」が「Ｓ１  ｉｎｔｒａ  ｓｙｓｔｅｍ  Ｈａｎｄｏｖｅｒ」を示す場合に、移動局ＵＥの当該交換局ＭＭＥ配下のセルから他の交換局ＭＭＥ配下のセルへのハンドオーバ処理が行われている状態であることを検出するように構成されていてもよい。
【００５９】
送信部１４は、無線基地局ｅＮＢやサーバ装置Ｅ-ＳＭＬＣに対して信号を送信するように構成されている。
【００６０】
例えば、送信部１４は、無線基地局ｅＮＢに対して「（Ｓ１-ＡＰ）ＤＬ  ＮＡＳ  Ｔｒａｎｓｐｏｒｔ」を送信したり、サーバ装置Ｅ-ＳＭＬＣに対して「（ＬＣＳ-ＡＰ）Ｄｏｗｎｌｉｎｋ  ＮＡＳ  Ｎｏｎ  Ｄｅｌｉｖｅｒｙ  Ｉｎｄｉｃａｔｉｏｎ」を送信したりするように構成されている。
【００６１】
（本発明の第１の実施形態に係る移動通信システムの動作）
図７を参照して、本発明の第１の実施形態に係る移動通信システムの動作について説明する。
【００６２】
図７に示すように、ステップＳ１００１において、サーバ装置Ｅ-ＳＭＬＣは、交換局ＭＭＥ＃１に対して、移動局ＵＥに係る「ＬＰＰ  ＰＤＵ」を含む「ＬＣＳ-ＡＰ  ＰＤＵ」を送信する。
【００６３】
例えば、移動局ＵＥに係る「ＬＰＰ  ＰＤＵ」には、「ＧＮＳＳ  ｓｙｓｔｅｍ  ｔｉｍｅ」と「Ｅ-ＵＴＲＡＮ  ａｉｒ-ｉｎｔｅｒｆａｃｅ  ｔｉｍｉｎｇ」との関係を通知するための「Ｒｅｆｅｒｅｎｃｅ  ｔｉｍｅ」や、セルＩＤ等から得られるセルの位置を示す「Ｒｅｆｅｒｅｎｃｅ  ｌｏｃａｔｉｏｎ」等が含まれている（上述の非特許文献２参照）。
【００６４】
ステップＳ１００２において、移動局ＵＥが、「ＥＣＭ-Ｉｄｌｅ状態」である場合、交換局ＭＭＥ＃１は、移動局ＵＥに対して、「ＮＷ  Ｔｒｉｇｇｅｒｅｄ  Ｓｅｒｖｉｃｅ  Ｒｅｑｕｅｓｔ」を送信し、移動局ＵＥと無線基地局ｅＮＢ＃１との間で、シグナリングコネクションを設定する。
【００６５】
ステップＳ１００３において、交換局ＭＭＥ＃１は、無線基地局ｅＮＢ＃１に対して、「（Ｓ１-ＡＰ）ＤＬ  ＮＡＳ  Ｔｒａｎｓｐｏｒｔ」によって、移動局ＵＥに係る「ＬＰＰ  ＰＤＵ」を送信する。
【００６６】
ステップＳ１００４において、移動局ＵＥの交換局ＭＭＥ＃１配下のセルから交換局ＭＭＥ＃２配下のセルへのハンドオーバ処理が開始される。
【００６７】
ここで、ステップＳ１００４の動作の途中で、ステップＳ１００３の動作が行われてもよい。
【００６８】
ステップＳ１００５において、無線基地局ｅＮＢ＃１は、交換局ＭＭＥ＃１から受信した移動局ＵＥに係る「ＬＰＰ  ＰＤＵ」を移動局ＵＥに対して送信する前に、移動局ＵＥの交換局ＭＭＥ＃１配下のセルから交換局ＭＭＥ＃２配下のセルへのハンドオーバ処理の開始を検出し、かかる移動局ＵＥに係る「ＬＰＰ  ＰＤＵ」を破棄したため、交換局ＭＭＥ＃１に対して、かかる移動局ＵＥに係る「ＬＰＰ  ＰＤＵ」を含む「（Ｓ１-ＡＰ）Ｄｏｗｎｌｉｎｋ  ＮＡＳ  Ｎｏｎ  Ｄｅｌｉｖｅｒｙ  Ｉｎｄｉｃａｔｉｏｎ」を送信する。
【００６９】
ステップＳ１００６において、交換局ＭＭＥ＃１は、「（Ｓ１-ＡＰ）Ｄｏｗｎｌｉｎｋ  ＮＡＳ  Ｎｏｎ  Ｄｅｌｉｖｅｒｙ  Ｉｎｄｉｃａｔｉｏｎ」を受信すると、移動局ＵＥの交換局ＭＭＥ＃１配下のセルから交換局ＭＭＥ＃２配下のセルへのハンドオーバ処理が行われている状態であることを検出し、交換局ＭＭＥ＃２に対して、かかる移動局ＵＥに係る「ＬＰＰ  ＰＤＵ」を含む「（Ｓ１０-ＡＰ）Ｄｏｗｎｌｉｎｋ  ＮＡＳ  Ｎｏｎ  Ｄｅｌｉｖｅｒｙ  Ｉｎｄｉｃａｔｉｏｎ」を送信する。
【００７０】
ここで、交換局ＭＭＥ＃１は、移動局ＵＥに対してハンドオーバ処理を行うように指示した後に、交換局ＭＭＥ＃１から交換局ＭＭＥ＃２へ送信する「Ｆｏｒｗａｒｄ  Ａｃｃｅｓｓ  Ｃｏｎｔｅｘｔ  Ｎｏｔｉｆｉｃａｔｉｏｎ（非特許文献３の５.５.１.２.２参照）」に、移動局ＵＥに係る「ＬＰＰ  ＰＤＵ」を含む「（Ｓ１０-ＡＰ）Ｄｏｗｎｌｉｎｋ  ＮＡＳ  Ｎｏｎ  Ｄｅｌｉｖｅｒｙ  Ｉｎｄｉｃａｔｉｏｎ」の全て若しくは一部を含めて送信してもよい。
【００７１】
ここで、交換局ＭＭＥ＃１は、「（Ｓ１-ＡＰ）Ｄｏｗｎｌｉｎｋ  ＮＡＳ  Ｎｏｎ  Ｄｅｌｉｖｅｒｙ  Ｉｎｄｉｃａｔｉｏｎ」を受信した場合であっても、移動局ＵＥの交換局ＭＭＥ＃１配下のセルから交換局ＭＭＥ＃２配下のセルへのハンドオーバ処理が行われている状態であることを検出しない場合には、移動局ＵＥが接続している無線基地局ｅＮＢ＃１に対して、「（Ｓ１-ＡＰ）ＤＬ  ＮＡＳ  Ｔｒａｎｓｐｏｒｔ」によって、移動局ＵＥに係る「ＬＰＰ  ＰＤＵ」を再送してもよい。
【００７２】
ステップＳ１００７において、交換局ＭＭＥ＃２は、交換局ＭＭＥ＃１から「（Ｓ１０-ＡＰ）Ｄｏｗｎｌｉｎｋ  ＮＡＳ  Ｎｏｎ  Ｄｅｌｉｖｅｒｙ  Ｉｎｄｉｃａｔｉｏｎ」を受信すると、ハンドオーバ先のセル（交換局ＭＭＥ＃２配下のセル）を収容する無線基地局ｅＮＢ＃２に対して、交換局ＭＭＥ＃１から受信した「（Ｓ１０-ＡＰ）Ｄｏｗｎｌｉｎｋ  ＮＡＳ  Ｎｏｎ  Ｄｅｌｉｖｅｒｙ  Ｉｎｄｉｃａｔｉｏｎ」に含まれる移動局ＵＥに係る「ＬＰＰ  ＰＤＵ」を含む「（Ｓ１-ＡＰ）ＤＬ  ＮＡＳ  Ｔｒａｎｓｐｏｒｔ」を送信する。
【００７３】
ステップＳ１００８において、無線基地局ｅＮＢ＃２が、移動局ＵＥに対して、「（ＲＲＣ）ＤＬ  ｉｎｆｏ  Ｔｒａｎｓｆｅｒ」によって、交換局ＭＭＥ＃２から受信した「（Ｓ１-ＡＰ）ＤＬ  ＮＡＳ  Ｔｒａｎｓｐｏｒｔ」に含まれる移動局ＵＥに係る「ＬＰＰ  ＰＤＵ」を送信する。
【００７４】
（本発明の第１の実施形態に係る移動通信システムの作用・効果）
本発明の第１の実施形態に係る移動通信システムによれば、移動局ＵＥのハンドオーバ処理が行われているため、移動局ＵＥに係る「ＬＰＰ  ＰＤＵ」が無線基地局ｅＮＢ＃１において破棄された状態であっても、移動局ＵＥに対して、移動局ＵＥに係る「ＬＰＰ  ＰＤＵ」を再送することができる。
【００７５】
（変更例１）
図８及び図９を参照して、上述の第１の実施形態に係る移動通信システムの変更例１について説明する。以下、本変更例１に係る移動通信システムについて、上述の第１の実施形態に係る移動通信システムとの相違点に着目して説明する。
【００７６】
本変更例１に係る移動通信システムでは、交換局ＭＭＥの判定部１３は、無線基地局ｅＮＢから「（Ｓ１-ＡＰ）Ｄｏｗｎｌｉｎｋ  ＮＡＳ  Ｎｏｎ  Ｄｅｌｉｖｅｒｙ  Ｉｎｄｉｃａｔｉｏｎ」を受信した場合に、サーバ装置Ｅ-ＳＭＬＣに対して、移動局ＵＥに係る「ＬＰＰ  ＰＤＵ」の識別情報を含む「（ＬＣＳ-ＡＰ）Ｄｏｗｎｌｉｎｋ  ＮＡＳ  Ｎｏｎ  Ｄｅｌｉｖｅｒｙ  Ｉｎｄｉｃａｔｉｏｎ」を送信するべきであるか否かについて判定するように構成されている。
【００７７】
例えば、交換局ＭＭＥの判定部１３は、無線基地局ｅＮＢから移動局ＵＥに係る「ＬＰＰ  ＰＤＵ」を含む「（Ｓ１-ＡＰ）Ｄｏｗｎｌｉｎｋ  ＮＡＳ  Ｎｏｎ  Ｄｅｌｉｖｅｒｙ  Ｉｎｄｉｃａｔｉｏｎ」を受信した場合、サーバ装置Ｅ-ＳＭＬＣに対して、移動局ＵＥに係る「ＬＰＰ  ＰＤＵ」の識別情報を含む「（ＬＣＳ-ＡＰ）Ｄｏｗｎｌｉｎｋ  ＮＡＳ  Ｎｏｎ  Ｄｅｌｉｖｅｒｙ  Ｉｎｄｉｃａｔｉｏｎ」を送信するべきであると判定するように構成されている。
【００７８】
ここで、移動局ＵＥのサービングセルが変更になるハンドオーバ処理が行われていると、移動局ＵＥに係る「ＬＰＰ  ＰＤＵ」内に含まれる「Ｒｅｆｅｒｅｎｃｅ  ｔｉｍｅ」や「Ｒｅｆｅｒｅｎｃｅ  ｌｏｃａｔｉｏｎ」の値が変更になる可能性があるものとする。
【００７９】
また、かかる「（ＬＣＳ-ＡＰ）Ｄｏｗｎｌｉｎｋ  ＮＡＳ  Ｎｏｎ  Ｄｅｌｉｖｅｒｙ  Ｉｎｄｉｃａｔｉｏｎ」には、移動局ＵＥに係る「ＬＰＰ  ＰＤＵ」の識別情報に加えて、移動局ＵＥのハンドオーバ処理（例えば、移動局ＵＥのサービングセルが変更になるハンドオーバ処理）が行われていることを示す識別子であるハンドオーバ識別子が含まれていてもよい。
【００８０】
なお、かかるハンドオーバ識別子は、「（ＬＣＳ-ＡＰ）Ｄｏｗｎｌｉｎｋ  ＮＡＳ  Ｎｏｎ  Ｄｅｌｉｖｅｒｙ  Ｉｎｄｉｃａｔｉｏｎ」内に含まれる「Ｃａｕｓｅ」によって通知されるように構成されていてもよい。
【００８１】
交換局ＭＭＥの送信部１４は、サーバ装置Ｅ-ＳＭＬＣに対して、無線基地局ｅＮＢから受信した「（Ｓ１-ＡＰ）Ｄｏｗｎｌｉｎｋ  ＮＡＳ  Ｎｏｎ  Ｄｅｌｉｖｅｒｙ  Ｉｎｄｉｃａｔｉｏｎ」を、そのまま「（ＬＣＳ-ＡＰ）Ｄｏｗｎｌｉｎｋ  ＮＡＳ  Ｎｏｎ  Ｄｅｌｉｖｅｒｙ  Ｉｎｄｉｃａｔｉｏｎ」として送信するように構成されていてもよい。
【００８２】
図８に示すように、サーバ装置Ｅ-ＳＭＬＣは、生成部２１と、送信部２２と、受信部２３と、判定部２４とを具備している。
【００８３】
生成部２１は、各移動局ＵＥに係る「ＬＰＰ  ＰＤＵ」、具体的には、各移動局ＵＥに対する補助情報（Ａｓｓｉｓｔａｎｃｅ  ｄａｔａ）を載せた「ＬＰＰ  ＰＤＵ」を生成するように構成されている。
【００８４】
なお、生成部２１は、判定部２４からの指示に応じて、各移動局に係る「ＬＰＰ  ＰＤＵ」を生成するように構成されていてもよい。
【００８５】
送信部２２は、交換局ＭＭＥに対して信号を送信するように構成されている。例えば、送信部２２は、交換局ＭＭＥに対して、移動局ＵＥに係る「ＬＰＰ  ＰＤＵ」を含む「ＬＣＳ-ＡＰ  ＰＤＵ」を送信するように構成されている。
【００８６】
受信部２３は、交換局ＭＭＥから信号を受信するように構成されている。例えば、受信部２３は、交換局ＭＭＥから「（ＬＣＳ-ＡＰ）Ｄｏｗｎｌｉｎｋ  ＮＡＳ  Ｎｏｎ  Ｄｅｌｉｖｅｒｙ  Ｉｎｄｉｃａｔｉｏｎ」を受信するように構成されている。
【００８７】
判定部２４は、各移動局ＵＥに係る「ＬＰＰ  ＰＤＵ」を再度生成して交換局ＭＭＥに送信するべきであるか否かについて、或いは、各移動局ＵＥに係る「ＬＰＰ  ＰＤＵ」をそのまま交換局ＭＭＥに送信するべきであるか否かについて判定するように構成されている。
【００８８】
例えば、判定部２４は、受信部２３によって移動局ＵＥに係る「ＬＰＰ  ＰＤＵ」を含む「（ＬＣＳ-ＡＰ）Ｄｏｗｎｌｉｎｋ  ＮＡＳ  Ｎｏｎ  Ｄｅｌｉｖｅｒｙ  Ｉｎｄｉｃａｔｉｏｎ」が受信され、かつ、移動局ＵＥのハンドオーバ処理が完了したことを通知するハンドオーバ完了通知情報が受信された場合に、生成部２１に対して、かかる移動局ＵＥに係る「ＬＰＰ  ＰＤＵ」及びハンドオーバ完了通知情報に基づいて、かかる移動局ＵＥに係る「ＬＰＰ  ＰＤＵ」を必要に応じて再度生成するように指示してもよい。
【００８９】
ここで、判定部２４は、受信部２３によって受信された「（ＬＣＳ-ＡＰ）Ｄｏｗｎｌｉｎｋ  ＮＡＳ  Ｎｏｎ  Ｄｅｌｉｖｅｒｙ  Ｉｎｄｉｃａｔｉｏｎ」内の「Ｃａｕｓｅ」部分等に設定されているハンドオーバ識別子が、移動局ＵＥのサービングセルが変更になるハンドオーバ処理が行われていることを示しており、かつ、かかるハンドオーバ処理が完了したことを検出した場合に、生成部２１に対して、かかる移動局ＵＥに係る「ＬＰＰ  ＰＤＵ」を再度生成するように指示してもよい。
【００９０】
また、判定部２４は、受信部２３によって受信された「（ＬＣＳ-ＡＰ）Ｄｏｗｎｌｉｎｋ  ＮＡＳ  Ｎｏｎ  Ｄｅｌｉｖｅｒｙ  Ｉｎｄｉｃａｔｉｏｎ」内の「Ｐｒｏｔｏｃｏｌ  ｄｉｓｃｒｉｍｉｎａｔｏｒ」や「Ｍｅｓｓａｇｅ  ｔｙｐｅ」等の値を参照して、当該「（ＬＣＳ-ＡＰ）Ｄｏｗｎｌｉｎｋ  ＮＡＳ  Ｎｏｎ  Ｄｅｌｉｖｅｒｙ  Ｉｎｄｉｃａｔｉｏｎ」に、移動局ＵＥに係る「ＬＰＰ  ＰＤＵ」が含まれているか否かについて判定するように構成されていてもよい。
【００９１】
また、移動局ＵＥのハンドオーバ完了通知情報は、移動局ＵＥによって送信される「ＬＰＰ  ＰＤＵ」や、ハンドオーバ先セルを含む無線基地局ｅＮＢによって送信される「ＬＰＰａ  ＰＤＵ」によって通知されてもよい。また、かかる移動局ＵＥのハンドオーバ完了通知情報は、受信部２３で受信される。
【００９２】
送信部２２は、移動局ＵＥのサービングセルが変更になるハンドオーバ処理が完了した後に、交換局ＭＭＥに対して、移動局ＵＥに係る「ＬＰＰ  ＰＤＵ」を含む「ＬＣＳ-ＡＰ  ＰＤＵ」をそのまま送信する、或いは、再度生成された移動局ＵＥに係る「ＬＰＰ  ＰＤＵ」を含む「ＬＣＳ-ＡＰ  ＰＤＵ」を送信するように構成されている。
【００９３】
以下、図９を参照して、本変更例１に係る移動通信システムの動作について説明する。
【００９４】
図９に示すように、ステップＳ２００１において、サーバ装置Ｅ-ＳＭＬＣは、交換局ＭＭＥ＃１に対して、移動局ＵＥに係る「ＬＰＰ  ＰＤＵ」を含む「ＬＣＳ-ＡＰ  ＰＤＵ」を送信する。
【００９５】
ステップＳ２００２において、移動局ＵＥが、「ＥＣＭ-Ｉｄｌｅ状態」である場合、交換局ＭＭＥ＃１は、移動局ＵＥに対して、「ＮＷ  Ｔｒｉｇｇｅｒｅｄ  Ｓｅｒｖｉｃｅ  Ｒｅｑｕｅｓｔ」を送信し、移動局ＵＥと無線基地局ｅＮＢ＃１との間で、シグナリングコネクションを設定する。
【００９６】
ステップＳ２００３において、交換局ＭＭＥ＃１は、無線基地局ｅＮＢに対して、「（Ｓ１-ＡＰ）ＤＬ  ＮＡＳ  Ｔｒａｎｓｐｏｒｔ」によって、移動局ＵＥに係る「ＬＰＰ  ＰＤＵ」を送信する。
【００９７】
ステップＳ２００４において、移動局ＵＥのハンドオーバ処理（例えば、移動局ＵＥのサービングセルが変更になるハンドオーバ処理）が開始される。
【００９８】
ここで、ステップＳ２００４の動作の途中で、ステップＳ２００３の動作が行われてもよい。
【００９９】
ステップＳ２００５において、無線基地局ｅＮＢ＃１は、交換局ＭＭＥ＃１から受信した移動局ＵＥに係る「ＬＰＰ  ＰＤＵ」を移動局ＵＥに対して送信する前に、移動局ＵＥのサービングセルが変更になるハンドオーバ処理の開始を検出したため、かかる移動局ＵＥに係る「ＬＰＰ  ＰＤＵ」を破棄し、交換局ＭＭＥ＃１に対して、かかる移動局ＵＥに係る「ＬＰＰ  ＰＤＵ」を含む「（Ｓ１-ＡＰ）Ｄｏｗｎｌｉｎｋ  ＮＡＳ  Ｎｏｎ  Ｄｅｌｉｖｅｒｙ  Ｉｎｄｉｃａｔｉｏｎ」を送信する。
【０１００】
ステップＳ２００６において、交換局ＭＭＥ＃１は、「（Ｓ１-ＡＰ）Ｄｏｗｎｌｉｎｋ  ＮＡＳ  Ｎｏｎ  Ｄｅｌｉｖｅｒｙ  Ｉｎｄｉｃａｔｉｏｎ」を受信すると、サーバ装置Ｅ-ＳＭＬＣに対して、かかる移動局ＵＥに係る「ＬＰＰ  ＰＤＵ」の識別情報を含む「（ＬＣＳ-ＡＰ）Ｄｏｗｎｌｉｎｋ  ＮＡＳ  Ｎｏｎ  Ｄｅｌｉｖｅｒｙ  Ｉｎｄｉｃａｔｉｏｎ」を送信する。
【０１０１】
ここで、交換局ＭＭＥ＃１は、サーバ装置Ｅ-ＳＭＬＣに対して、移動局ＵＥに係る「ＬＰＰ  ＰＤＵ」の識別情報の代わりに、移動局ＵＥに係る「ＬＰＰ  ＰＤＵ」自身を含む「（ＬＣＳ-ＡＰ）Ｄｏｗｎｌｉｎｋ  ＮＡＳ  Ｎｏｎ  Ｄｅｌｉｖｅｒｙ  Ｉｎｄｉｃａｔｉｏｎ」を送信してもよい。
【０１０２】
ステップＳ２００７において、サーバ装置Ｅ-ＳＭＬＣは、交換局ＭＭＥ＃１から「（ＬＣＳ-ＡＰ）Ｄｏｗｎｌｉｎｋ  ＮＡＳ  Ｎｏｎ  Ｄｅｌｉｖｅｒｙ  Ｉｎｄｉｃａｔｉｏｎ」及びハンドオーバ完了通知情報を受信すると、かかる「（ＬＣＳ-ＡＰ）Ｄｏｗｎｌｉｎｋ  ＮＡＳ  Ｎｏｎ  Ｄｅｌｉｖｅｒｙ  Ｉｎｄｉｃａｔｉｏｎ」に含まれる移動局ＵＥに係る「ＬＰＰ  ＰＤＵ」の識別情報に基づいて、かかる移動局ＵＥに係る「ＬＰＰ  ＰＤＵ」を必要に応じて再度生成する。
【０１０３】
ここで、サーバ装置Ｅ-ＳＭＬＣは、かかる「（ＬＣＳ-ＡＰ）Ｄｏｗｎｌｉｎｋ  ＮＡＳ  Ｎｏｎ  Ｄｅｌｉｖｅｒｙ  Ｉｎｄｉｃａｔｉｏｎ」内の「Ｃａｕｓｅ」部分等に設定されているハンドオーバ識別子が、移動局ＵＥのサービングセルが変更になるハンドオーバ処理が行われていることを示している場合にのみ、かかる移動局ＵＥに係る「ＬＰＰ  ＰＤＵ」を再度生成してもよい。
【０１０４】
その後、サーバ装置Ｅ-ＳＭＬＣは、移動局ＵＥのサービングセルが変更になるハンドオーバ処理が完了した後、交換局ＭＭＥ＃２に対して、再度生成した移動局ＵＥに係る「ＬＰＰ  ＰＤＵ」を含む「ＬＣＳ-ＡＰ  ＰＤＵ」を送信する、或いは、交換局ＭＭＥ＃１から受信した移動局ＵＥに係る「ＬＰＰ  ＰＤＵ」を含む「ＬＣＳ-ＡＰ  ＰＤＵ」をそのまま送信する。
【０１０５】
ステップＳ２００８において、交換局ＭＭＥ＃２は、サーバ装置Ｅ-ＳＭＬＣから移動局ＵＥに係る「ＬＰＰ  ＰＤＵ」を含む「ＬＣＳ-ＡＰ  ＰＤＵ」を受信すると、無線基地局ｅＮＢ＃２に対して、サーバ装置Ｅ-ＳＭＬＣから受信した移動局ＵＥに係る「ＬＰＰ  ＰＤＵ」を含む「（Ｓ１-ＡＰ）ＤＬ  ＮＡＳ  Ｔｒａｎｓｐｏｒｔ」を送信する。
【０１０６】
ステップＳ２００９において、無線基地局ｅＮＢ＃２が、移動局ＵＥに対して、「（ＲＲＣ）ＤＬ  ｉｎｆｏ  Ｔｒａｎｓｆｅｒ」によって、交換局ＭＭＥ＃２から受信した「（Ｓ１-ＡＰ）ＤＬ  ＮＡＳ  Ｔｒａｎｓｐｏｒｔ」に含まれる移動局ＵＥに係る「ＬＰＰ  ＰＤＵ」を送信する。
【０１０７】
ここで、ハンドオーバ元セル及びハンドオーバ先セルが、同一の交換局ＭＭＥに収容されている場合は、交換局ＭＭＥ＃１及び交換局ＭＭＥ＃２は同一の交換局ＭＭＥとなる。
【０１０８】
また、ハンドオーバ元セル及びハンドオーバ先セルが、同一の無線基地局ｅＮＢに収容されている場合は、無線基地局ｅＮＢ＃１及び無線基地局ｅＮＢ＃２は、同一の無線基地局ｅＮＢとなる。
【０１０９】
本発明の変更例１に係る移動通信システムによれば、移動局ＵＥのハンドオーバ処理が行われている状態で、移動局ＵＥに係る「ＬＰＰ  ＰＤＵ」が無線基地局ｅＮＢ＃１によって破棄される場合でも、移動局ＵＥに対して、ハンドオーバ先セルに対応した移動局ＵＥに係る「ＬＰＰ  ＰＤＵ」を必要に応じて再度生成して再送することができる。
【０１１０】
以上に述べた本実施形態の特徴は、以下のように表現されていてもよい。
【０１１１】
本実施形態の第１の特徴は、サーバ装置Ｅ-ＳＭＬＣと移動局ＵＥとの間で終端するＬＰＰ/ＬＰＰａ（位置情報サービス提供用プロトコル）を用いて、移動局ＵＥに対して、移動局ＵＥに係る「ＬＰＰ  ＰＤＵ（位置情報関連パケット）」を提供する位置情報サービス提供方法であって、サーバ装置Ｅ-ＳＭＬＣが、交換局ＭＭＥ＃１（第１交換局）に対して、移動局ＵＥに係る「ＬＰＰ  ＰＤＵ」を送信する工程と、交換局ＭＭＥ＃１が、交換局ＭＭＥ＃１配下のセル＃１を収容する無線基地局ｅＮＢ＃１（第１無線基地局）に対して、移動局ＵＥに係る「ＬＰＰ  ＰＤＵ」を送信する工程と、無線基地局ｅＮＢ＃１が、交換局ＭＭＥ＃１から受信した移動局ＵＥに係る「ＬＰＰ  ＰＤＵ」を移動局ＵＥに対して送信する前に、移動局ＵＥのハンドオーバ処理の開始を検出し、移動局ＵＥに係る「ＬＰＰ  ＰＤＵ」を移動局ＵＥに対して送信することなく破棄した場合、交換局ＭＭＥ＃１に対して、移動局ＵＥに係る「ＬＰＰ  ＰＤＵ」を含む「（Ｓ１-ＡＰ）Ｄｏｗｎｌｉｎｋ  ＮＡＳ  Ｎｏｎ  Ｄｅｌｉｖｅｒｙ  Ｉｎｄｉｃａｔｉｏｎ（指示信号）」を送信する工程と、交換局ＭＭＥ＃１が、「（Ｓ１-ＡＰ）Ｄｏｗｎｌｉｎｋ  ＮＡＳ  Ｎｏｎ  Ｄｅｌｉｖｅｒｙ  Ｉｎｄｉｃａｔｉｏｎ」を受信した場合で、かつ、移動局ＵＥの交換局ＭＭＥ＃１配下のセル＃１から交換局ＭＭＥ＃２（第２交換局）配下のセル＃２へのハンドオーバ処理が行われている状態であることを検出した場合に、交換局ＭＭＥ＃２に対して、移動局ＵＥに係る「ＬＰＰ  ＰＤＵ」を送信する工程と、交換局ＭＭＥ＃２が、ハンドオーバ先セルであるセル＃２を収容する無線基地局ｅＮＢ＃２に対して、交換局ＭＭＥ＃１から受信した移動局ＵＥに係る「ＬＰＰ  ＰＤＵ」を送信する工程と、無線基地局ｅＮＢ＃２が、移動局ＵＥに対して、交換局ＭＭＥ＃２から受信した移動局ＵＥに係る「ＬＰＰ  ＰＤＵ」を送信する工程とを有することを要旨とする。
【０１１２】
本実施形態の第２の特徴は、サーバ装置Ｅ-ＳＭＬＣと移動局ＵＥとの間で終端するＬＰＰ/ＬＰＰａを用いて、移動局ＵＥに対して、移動局ＵＥに係る「ＬＰＰ  ＰＤＵ」を提供する位置情報サービス提供方法であって、サーバ装置Ｅ-ＳＭＬＣが、交換局ＭＭＥ＃１に対して、移動局ＵＥに係る「ＬＰＰ  ＰＤＵ」を送信する工程Ａと、交換局ＭＭＥ＃１が、交換局ＭＭＥ＃１配下のセル＃１を収容する無線基地局ｅＮＢ＃１に対して、移動局ＵＥに係る「ＬＰＰ  ＰＤＵ」を送信する工程Ｂと、無線基地局ｅＮＢ＃１が、交換局ＭＭＥ＃１から受信した移動局ＵＥに係る「ＬＰＰ  ＰＤＵ」を移動局ＵＥに対して送信する前に、移動局ＵＥのハンドオーバ処理の開始を検出し、移動局ＵＥに係る「ＬＰＰ  ＰＤＵ」を移動局ＵＥに対して送信することなく破棄した場合、交換局ＭＭＥ＃１に対して、移動局ＵＥに係る「ＬＰＰ  ＰＤＵ」を含む「（Ｓ１-ＡＰ）Ｄｏｗｎｌｉｎｋ  ＮＡＳ  Ｎｏｎ  Ｄｅｌｉｖｅｒｙ  Ｉｎｄｉｃａｔｉｏｎ（第１指示信号）」を送信する工程Ｃと、交換局ＭＭＥ＃１が、「（Ｓ１-ＡＰ）Ｄｏｗｎｌｉｎｋ  ＮＡＳ  Ｎｏｎ  Ｄｅｌｉｖｅｒｙ  Ｉｎｄｉｃａｔｉｏｎ」を受信した場合、サーバ装置Ｅ-ＳＭＬＣに対して、移動局ＵＥに係る「ＬＰＰ  ＰＤＵ」の識別情報を含む「（ＬＣＳ-ＡＰ）Ｄｏｗｎｌｉｎｋ  ＮＡＳ  Ｎｏｎ  Ｄｅｌｉｖｅｒｙ  Ｉｎｄｉｃａｔｉｏｎ（第２指示信号）」を送信する工程Ｄと、サーバ装置Ｅ-ＳＭＬＣが、受信した「（ＬＣＳ-ＡＰ）Ｄｏｗｎｌｉｎｋ  ＮＡＳ  Ｎｏｎ  Ｄｅｌｉｖｅｒｙ  Ｉｎｄｉｃａｔｉｏｎ（第２指示信号）」に含まれる移動局ＵＥに係る「ＬＰＰ  ＰＤＵ」の識別情報及び移動局ＵＥのセル＃１から交換局ＭＭＥ＃２配下のセル＃２へのハンドオーバ処理が完了したことを通知するハンドオーバ完了通知情報に基づいて、移動局ＵＥに係る「ＬＰＰ  ＰＤＵ」を必要に応じて再度生成して交換局ＭＭＥ＃２に送信する工程Ｅと、交換局ＭＭＥ＃２が、ハンドオーバ先セルであるセル＃２を収容する無線基地局ｅＮＢ＃２に対して、サーバ装置Ｅ-ＳＭＬＣから受信した移動局ＵＥに係る「ＬＰＰ  ＰＤＵ」を送信する工程Ｆと、無線基地局ｅＮＢ＃２が、移動局ＵＥに対して、交換局ＭＭＥ＃２から受信した移動局ＵＥに係る「ＬＰＰ  ＰＤＵ」を送信する工程Ｇとを有することを要旨とする。
【０１１３】
本実施形態の第２の特徴において、工程Ｄにおいて、交換局ＭＭＥ＃１が、サーバ装置Ｅ-ＳＭＬＣに対して、移動局ＵＥに係る「ＬＰＰ  ＰＤＵ」の識別情報に加えて、移動局ＵＥのサービングセルが変更になるハンドオーバ処理が行われていることを示す識別子を含む「（ＬＣＳ-ＡＰ）Ｄｏｗｎｌｉｎｋ  ＮＡＳ  Ｎｏｎ  Ｄｅｌｉｖｅｒｙ  Ｉｎｄｉｃａｔｉｏｎ」を送信し、工程Ｅにおいて、サーバ装置Ｅ-ＳＭＬＣは、受信した「（ＬＣＳ-ＡＰ）Ｄｏｗｎｌｉｎｋ  ＮＡＳ  Ｎｏｎ  Ｄｅｌｉｖｅｒｙ  Ｉｎｄｉｃａｔｉｏｎ」に、かかる識別子が含まれている場合に、移動局ＵＥに係る「ＬＰＰ  ＰＤＵ」を再度生成して交換局ＭＭＥ＃２に送信してもよい。
【０１１４】
本実施形態の第２の特徴において、移動局ＵＥが、「ＬＰＰ  ＰＤＵ」によって、サーバ装置Ｅ-ＳＭＬＣに対して、上述のハンドオーバ完了通知情報を送信する工程を更に有してもよい。
【０１１５】
本実施形態の第２の特徴において、無線基地局ｅＮＢ＃２が、「ＬＰＰａ  ＰＤＵ」によって、サーバ装置Ｅ-ＳＭＬＣに対して、上述のハンドオーバ完了通知情報を送信する工程を更に有してもよい。
【０１１６】
本実施形態の第３の特徴は、サーバ装置Ｅ-ＳＭＬＣと移動局ＵＥとの間で終端するＬＰＰ/ＬＰＰａを用いて、移動局ＵＥに対して、移動局ＵＥに係る「ＬＰＰ  ＰＤＵ」を提供するように構成されている移動通信システムで用いられる交換局ＭＭＥ＃１であって、無線基地局ｅＮＢに対して、サーバ装置Ｅ-ＳＭＬＣから受信した移動局ＵＥに係る「ＬＰＰ  ＰＤＵ」を送信するように構成されており、無線基地局ｅＮＢから、移動局ＵＥに係る「ＬＰＰ  ＰＤＵ」を含む「（Ｓ１-ＡＰ）Ｄｏｗｎｌｉｎｋ  ＮＡＳ  Ｎｏｎ  Ｄｅｌｉｖｅｒｙ  Ｉｎｄｉｃａｔｉｏｎ」を受信した場合で、かつ、移動局ＵＥの交換局ＭＭＥ＃１配下のセルから交換局ＭＭＥ＃２配下のセルへのハンドオーバ処理が行われている状態であることを検出した場合に、交換局ＭＭＥ＃２に対して、「（Ｓ１０-ＡＰ）Ｄｏｗｎｌｉｎｋ  ＮＡＳ  Ｎｏｎ  Ｄｅｌｉｖｅｒｙ  Ｉｎｄｉｃａｔｉｏｎ」に含まれている移動局ＵＥに係る「ＬＰＰ  ＰＤＵ」を送信するように構成されている送信部１４とを具備することを要旨とする。
【０１１７】
本実施形態の第４の特徴は、サーバ装置Ｅ-ＳＭＬＣと移動局ＵＥとの間で終端するＬＰＰ/ＬＰＰａを用いて、移動局ＵＥに対して、移動局ＵＥに係る「ＬＰＰ  ＰＤＵ」を提供するように構成されている移動通信システムで用いられる交換局ＭＭＥ＃１であって、無線基地局ｅＮＢに対して、サーバ装置Ｅ-ＳＭＬＣから受信した移動局ＵＥに係る「ＬＰＰ  ＰＤＵ」を送信するように構成されており、無線基地局ｅＮＢから、移動局ＵＥに係る「ＬＰＰ  ＰＤＵ」を含む「（Ｓ１-ＡＰ）Ｄｏｗｎｌｉｎｋ  ＮＡＳ  Ｎｏｎ  Ｄｅｌｉｖｅｒｙ  Ｉｎｄｉｃａｔｉｏｎ」を受信した場合、サーバ装置Ｅ-ＳＭＬＣに対して、「（Ｓ１-ＡＰ）Ｄｏｗｎｌｉｎｋ  ＮＡＳ  Ｎｏｎ  Ｄｅｌｉｖｅｒｙ  Ｉｎｄｉｃａｔｉｏｎ」に含まれている移動局ＵＥに係る「ＬＰＰ  ＰＤＵ」の識別情報を含む「（ＬＣＳ-ＡＰ）Ｄｏｗｎｌｉｎｋ  ＮＡＳ  Ｎｏｎ  Ｄｅｌｉｖｅｒｙ  Ｉｎｄｉｃａｔｉｏｎ」を送信するように構成されている送信部１４とを具備することを要旨とする。
【０１１８】
本実施形態の第４の特徴において、送信部１４は、サーバ装置Ｅ-ＳＭＬＣに対して、移動局ＵＥに係る「ＬＰＰ  ＰＤＵ」の識別情報に加えて、移動局ＵＥのサービングセルが変更になるハンドオーバ処理が行われていることを示す識別子を含む「（ＬＣＳ-ＡＰ）Ｄｏｗｎｌｉｎｋ  ＮＡＳ  Ｎｏｎ  Ｄｅｌｉｖｅｒｙ  Ｉｎｄｉｃａｔｉｏｎ」を送信するように構成されていてもよい。
【０１１９】
本実施形態の第５の特徴は、サーバ装置Ｅ-ＳＭＬＣと移動局ＵＥとの間で終端するＬＰＰ/ＬＰＰａを用いて、移動局ＵＥに対して、移動局ＵＥに係る「ＬＰＰ  ＰＤＵ」を提供するように構成されている移動通信システムで用いられるサーバ装置Ｅ-ＳＭＬＣであって、交換局ＭＭＥ＃１に対して、移動局ＵＥに係る「ＬＰＰ  ＰＤＵ」を送信するように構成されており、交換局ＭＭＥ＃１から受信した「（ＬＣＳ-ＡＰ）Ｄｏｗｎｌｉｎｋ  ＮＡＳ  Ｎｏｎ  Ｄｅｌｉｖｅｒｙ  Ｉｎｄｉｃａｔｉｏｎ」に含まれている移動局ＵＥに係る「ＬＰＰ  ＰＤＵ」の識別情報に基づいて、移動局ＵＥに係る「ＬＰＰ  ＰＤＵ」を必要に応じて再度生成して交換局ＭＭＥ＃２に送信するように構成されている送信部２２と、移動局ＵＥの交換局ＭＭＥ配下のセル＃１から交換局ＭＭＥ＃２配下のセル＃２へのハンドオーバ処理が完了したことを通知するハンドオーバ完了通知情報、及び、交換局＃１からの移動局ＵＥに係る「ＬＰＰ  ＰＤＵ」の識別情報を含む「（ＬＣＳ-ＡＰ）Ｄｏｗｎｌｉｎｋ  ＮＡＳ  Ｎｏｎ  Ｄｅｌｉｖｅｒｙ  Ｉｎｄｉｃａｔｉｏｎ（指示信号）」を受信するように構成されている受信部２３とを具備することを要旨とする。
【０１２０】
本実施形態の第５の特徴において、判定部２４は、交換局ＭＭＥ＃１から受信した「（ＬＣＳ-ＡＰ）Ｄｏｗｎｌｉｎｋ  ＮＡＳ  Ｎｏｎ  Ｄｅｌｉｖｅｒｙ  Ｉｎｄｉｃａｔｉｏｎ」に、上述の移動局ＵＥのハンドオーバ処理が行われていることを示す識別子が含まれている場合に、上述のハンドオーバ完了通知情報に基づいて、移動局ＵＥに係る「ＬＰＰ  ＰＤＵ」を再度生成する必要があると判断し、生成部２１は、かかる判断結果に基づいて、移動局ＵＥに係る「ＬＰＰ  ＰＤＵ」を再度生成し、送信部２２は、交換局ＭＭＥ＃２に対して、かかる移動局ＵＥに係る「ＬＰＰ  ＰＤＵ」を送信するように構成されていてもよい。
【０１２１】
なお、上述の移動局ＵＥや無線基地局ｅＮＢや交換局ＭＭＥやサーバ装置Ｅ-ＳＭＬＣの動作は、ハードウェアによって実施されてもよいし、プロセッサによって実行されるソフトウェアモジュールによって実施されてもよいし、両者の組み合わせによって実施されてもよい。
【０１２２】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０１２３】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢや交換局ＭＭＥやサーバ装置Ｅ-ＳＭＬＣ内に設けられていてもよい。また、かかる記憶媒体及びプロセッサは、ディスクリートコンポーネントとして移動局ＵＥや無線基地局ｅＮＢや交換局ＭＭＥやサーバ装置Ｅ-ＳＭＬＣ内に設けられていてもよい。
【０１２４】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。従って、本明細書の記載は、例示説明を目的とするものであり、本発明に対して何ら制限的な意味を有するものではない。
【符号の説明】
【０１２５】
ＭＭＥ…交換局
１１…ハンドオーバ処理部
１２、２３…受信部
１３、２４…判定部
１４、２２…送信部
Ｅ-ＳＭＬＳ…サーバ装置
２１…生成部
【図１】
2011077896.tif 000003
【図２】
2011077896.tif 000004
【図３】
2011077896.tif 000005
【図４】
2011077896.tif 000006
【図５】
2011077896.tif 000007
【図６】
2011077896.tif 000008
【図７】
2011077896.tif 000009
【図８】
2011077896.tif 000010
【図９】
2011077896.tif 000011
【図１０】
2011077896.tif 000012